(57)【要約】      （修正有）【課題】ヘアローラー巻き器及びそれを有するアセンブリを提供する。【解決手段】本考案は、ハンドル、モーター５、および、ヘアローラー２を支えるのに適した加熱芯３、ならびに、使用時に加熱芯３を固定した状態に維持しつつモーター５の回転運動をヘアローラー２へ伝達する伝達部４を有するヘアローラー巻き器１を開示する。【選択図】図３
0003204854.tif 000002
【実用新案登録請求の範囲】
【請求項１】
ハンドル、モーター（５）、および、ヘアローラー（２）を支えるのに適している加熱芯（３）、ならびに、使用時に前記加熱芯（３）を固定した状態に維持しつつ前記モーター（５）の回転運動を前記ヘアローラー（２）に伝達する伝達部（４）を有するヘアローラー巻き器（１）。
【請求項２】
前記巻き器は、使用中、ヘアローラー（２）の存在が検出されていないときには最大の加熱パワーを発動することが可能であり、ヘアローラー（２）の存在が検出されたときには加熱パワーに対し電子的時間遅延を発動することが可能な、ヘアローラー（２）の存在検出用のマイクロスイッチを有することを特徴とする請求項１に記載のヘアローラー巻き器（１）。
【請求項３】
前記巻き器は、使用中、前記ヘアローラー（２）に、前記固定加熱芯（３）周りの回転運動に加え前後運動を与える正弦波状溝部（９）付きのシリンダーを有することを特徴とする請求項１または２に記載のヘアローラー巻き器（１）。
【請求項４】
前記巻き器は、前記ハンドル上の前記ヘアローラーのためのロック・ロック解除機構（１２）を有することを特徴とする前述の請求項のいずれか一項に記載のヘアローラー巻き器（１）。
【請求項５】
前記巻き器（１）は、力トルク制限のための機構を有することを特徴とする前述の請求項のいずれか一項に記載のヘアローラー巻き器（１）。
【請求項６】
前記ヘアローラー（２）は、使用中、前記固定加熱芯（３）と前記ヘアローラー（２）との間の熱伝導によって加熱されることを特徴とする前述の請求項のいずれか一項に記載のヘアローラー巻き器（１）。
【請求項７】
前記伝達部（４）は、ギアまたはフリクションドライブを有することを特徴とする前述の請求項のいずれか一項に記載のヘアローラー巻き器（１）。
【請求項８】
前述の請求項のいずれか一項に記載のヘアローラー巻き器（１）と、一ないし複数のヘアローラー（２）とを有するアセンブリ。
【考案の詳細な説明】
【技術分野】
【０００１】
考案の主題
本考案は、ヘアスタイリング機器に関し、具体的に、固定加熱芯、および、ヘアローラーを機器から外して使用者の頭に取り付ける前に前記芯の周りを回転させることができる機構を有する電動ヘアローラー巻き器に関する。
【背景技術】
【０００２】
先行技術
電動ヘアローラー巻き器は、当業者にとって周知の技術である。たとえば、米国特許第４２２２３９８号明細書、米国特許第３６０５７６２号明細書、米国特許第４８８４５８３号明細書および米国特許出願公開第２００５／０１９９２５７号明細書に、さまざまな形態の電動ヘアローラー巻き器が開示されている。
【０００３】
さらに、ヘアローラーのさまざまな加熱手段も、米国特許出願公開第２００５／００００９５４号明細書、米国特許第４４９９３５５号明細書、国際公開第２０１１／０１５８７４号パンフレット、米国特許第４５２６１８４号明細書に示されているように、当業者にとって周知の技術である。これらの事例において、ヘアローラーは、電動巻き器を使用して髪の毛を巻く前に、別の装置内で、伝導、対流または誘導によって加熱される。
【０００４】
ヘアローラーを加熱することと電動回転させることを別々に行うようにすると、特に、巻き器用モーターが過熱する危険がないので、取り扱いが簡単である。このアプローチの主な欠点は、髪が巻かれる前にローラーが手で扱われることによってローラーが急速に冷えてしまうこと、および、使用者の頭にヘアローラーがセットされる時に温度の調節ができないことである。
【０００５】
欧州特許出願公開第２５２４６１８号明細書には、一体化された加熱手段を持つヘアローラー巻き器が記載されている。このシナリオでは、加熱芯が回転しヘアローラーを駆動する。ヘアローラーが伝導によって加熱されるとき、加熱抵抗器とハンドルとの間の電気接点は、回転接点を必要としない固定加熱芯よりも管理が難しい。
【考案の概要】
【考案が解決しようとする課題】
【０００６】
考案の目的
本考案は、従来の技術水準の課題、特に回転する加熱芯の課題を克服することを目的とする。特に、ヘアローラーの温度へ素早く到達させ、固定加熱芯から離れるまでの間その温度を維持することができるように、固定加熱芯を備えた同じ装置内で、ヘアローラー用の電動巻き手段と当該ヘアローラー用の加熱手段とを連動させることを目的とする。
【課題を解決するための手段】
【０００７】
考案の概要
本考案は、ハンドル、モーター、および、ヘアローラーを支えるのに適している加熱芯、ならびに、使用時に前記加熱芯を固定した状態に維持しつつ前記モーターの回転運動を前記ヘアローラーに伝達する伝達部を有するヘアローラー巻き器を開示する。
【０００８】
具体的な実施形態によれば、本考案は、下記の特徴のうち一ないし複数の特徴を備えるものである。
−前記巻き器は、使用中、ヘアローラーの存在が検出されていないときには最大の加熱パワーを発動することが可能であり、ヘアローラーの存在が検出されたときには加熱パワーに対し電子的時間遅延を発動することが可能な、ヘアローラーの存在検出用のマイクロスイッチを有する。
−前記巻き器は、使用中、前記ヘアローラーに、前記固定加熱芯周りの回転運動に加え前後運動を与える正弦波状溝部付きのシリンダーを有する。
−前記巻き器は、前記ハンドル上の前記ヘアローラーのためのロック・ロック解除機構を有する。
−前記巻き器は、力トルクを制限する機構を有する。
−前記ヘアローラーは、使用中、前記固定加熱芯と前記ヘアローラーとの間の熱伝導によって加熱される。
−前記伝達部は、ギアまたはフリクションドライブを有する。
【図面の簡単な説明】
【０００９】
【図１】固定加熱芯のための、温度および加熱パワーの時間遅延の電子制御を担う簡易化した電気回路の図を示している。
【図２】髪が巻かれたら、ロック解除ノブを作動させることによって、本考案に係る巻き器からどのようにヘアローラーを取り外すかを示している。
【図３】本考案に係るヘアローラー巻き器を、その固定芯とその主要構成部品とともに概略断面図で示している。
【図４】本考案に係る巻き器に固定されたヘアローラーへの髪の巻きつけを模式的に示している。
【図５】本考案に係る巻き器に固定されたヘアローラーへの髪の巻きつけを模式的に示している。
【図６】本考案に係る巻き器に固定されたヘアローラーへの髪の巻きつけを模式的に示している。
【図７】ハンドルの軸に沿って、髪を交差巻き（cross-winding）にするためにヘアローラーが固定芯周りを前後に移動する本考案の実施形態を示している。
【図８】ハンドルの軸に沿って、髪を交差巻きにするためにヘアローラーが固定芯周りを前後に移動する本考案の実施形態を示している。
【図９】ヘアローラーを、固定加熱芯周りを回転させるために、モーターの回転運動をヘアローラーへ伝達する、伝達手段の別の代替機構を示している。
【符号の説明】
【００１０】
参照符号のリスト
１：本考案に係るヘアローラー巻き器
２：ヘアローラー
３：固定加熱芯
４：ヘアローラーを固定加熱芯周りに回転させるための伝達手段
５：モーター
６：加熱抵抗器の接続線
７：駆動リンク
８：プリント回路基板（ＰＣＢ）
９：シリンダーの前後運動を可能にする正弦波状溝部
１０：電源ケーブル
１１：選択された方向への回転の起動／停止スイッチ
１２：ロック・ロック解除ノブ／機構
１４：駆動リンク
１５：汎用スイッチ
【考案を実施するための形態】
【００１１】
考案の詳細な説明
本考案は、符号を用いた説明の９つの図において、十分に説明されている。全ての電気ヘアトリートメント機器のように、本考案に係るヘアローラー巻き器１は、電源ケーブル１０、および、回転方向を選択するための起動／停止スイッチ１１を有し、これは、任意選択的に、増加する加熱レベル（非図示）に関連づけてもよい。
【００１２】
本考案に係る電動ヘアローラー巻き器１は、ヘアローラー２を加熱する機能と、電動巻きを実行する機能をあわせもっている。そのために、固定加熱芯３を有している。
【００１３】
使用されるヘアローラー２は、伝導加熱手段に適合するものでなければならない。ゆえに、セラミック加熱芯または誘導コイルを用いた伝導加熱手段として、使用されるヘアローラー２は、金属製で、固定加熱芯３とヘアローラー２の間の最大接触を確保するために巻き器と大きく接触する面を備えるものば好ましい。
【００１４】
同じ機器内において上記二つの機能を同時に実現することの主な難しさは、それぞれの構成要素がかさばることであり、機器を取扱い可能なサイズにとどめるため、それらを最小化しなければならない。
【００１５】
ヘアローラー２の加熱手段３を、直接、巻き器１内に配置することで有利な点は、巻き器１の使用中に、ヘアローラー２の加熱が中断されないことである。髪がヘアローラー２に巻きつけられているときには、ヘアローラー２は、ヘアローラー２をほぼ即座に使用温度にするのに十分な温度まであらかじめ昇温されている固定加熱芯３を介して、伝導加熱され続けている。加熱に時間遅延を導入することで、ヘアローラーの温度を、その直径および使用者の作業モードに合わせることが可能である。
【００１６】
本考案において、「固定」加熱芯３とは、ヘアローラー２を回転させるための回転を与えられてはならない芯のことである。したがって、ヘアローラーは、それ自体は回転しない加熱芯３周りを回転する。
【００１７】
本考案に係る巻き器１を用いて髪をヘアローラー２に巻きつける方法は、ヘアローラー２を固定加熱芯３にロックすることから始まる。ヘアローラー２をロック解除する機構１２は、機器のハンドル上に設置されている（図３）。次に、ヘアローラー／巻き器アセンブリが、巻かれる髪に触れるように配置され（図４）、巻き器が回転スイッチ１１を用いて起動される。そして髪は毛先まで巻かれる（図５および図６）。回転スイッチ１１は双方向性であり、ゆえにヘアローラー２を両回転方向に回転させることができる。本考案に係る巻き器１は、巻き機構によって発生した力トルクが所定の閾値を超えると発動されるトーションリミッタ（非図示）を装備しているので、髪が巻かれたとき自動的に止まる。続いてヘアローラー２は、ロック解除ノブ１２を用いてロック解除される。トーションリミッタの起動閾値は、ヘアローラー２の異なる直径を考慮して調節可能である。ヘアローラーは、一般に、回転（ロック）によって駆動される位置への髪の固定を可能にする、髪を捕捉する手段を有している。そのため、たとえば、「ベルクロ」タイプのフックがついたヘアローラーが使用できる。
【００１８】
新しいヘアローラー２が固定加熱芯３に設置されると、加熱手段のための時間遅延が、機器上に配置された起動「マイクロスイッチ」（非図示）によって自動的に起動される。
【００１９】
本考案の一つの好適な実施形態において使用される発熱体は、固定芯内に配置されたセラミック発熱体である。この発熱体の抵抗は温度とともに大きくなる。それゆえ、分圧回路を介した当該発熱体の端子間の電圧を測ることで、温度の示度を得ることが可能になる。
【００２０】
実際には、固定芯３は、ヘアローラー２が機器１に配置される前に約２３０度まで予熱される。これにより、ヘアローラー２を、機器１に配置すると、熱交換により約１２０度まで急激に昇温させることができる。たとえばアルミニウムでできている金属のヘアローラーを使用する場合、わずかに数秒を要するだけである。予熱中、加熱力は最大パワーに調整され、マイクロスイッチがヘアローラーの存在を検出すると、加熱力が切れるが、それは約２０秒の時間遅延の後である。同じマイクロスイッチによってヘアローラーの存在しないことが検出されているときは、機器の加熱力は、次のヘアローラー２が配置される前に自動的に最大へと戻る。
【００２１】
本考案に係る巻き器１は、加熱力を、加熱されるヘアローラー２のタイプに合わせることができるようにヘアローラー２の直径も検出している。存在または直径は、巻き器に配置されている機械的または電子的マイクロスイッチによって検出され得る。
【００２２】
加熱芯は固定されているため、セラミック発熱体３と電子回路８との間の接続部６は、回転接触系による接続の問題を生じることはない。
【００２３】
本考案の一つの有利な実施形態によれば、ヘアローラー２は、回転を与えられることに加えて、正弦波状溝部９付きのシリンダー（図７）を用いて、固定加熱芯３周りを前後運動するよう駆動されてもよい。回転運動に加えられたこの種の運動によって、図８に示すように、髪を巻くことができる。
【００２４】
モーターから、ヘアローラー２へ回転運動を伝達し、ヘアローラー２を固定加熱芯３周りで回転させることができる手段４の限定されない例が、図９に示されている。
【００２５】
本考案に使用される発熱体は、加熱芯内に配置されているセラミックヒーターである。このセラミックヒーターの制御図を、図１に示す。温度センサー（ＮＴＣサーミスタ − Ｎｅｇａｔｉｖｅ  Ｔｈｅｒｍａｌ  Ｃｏｅｆｆｉｃｉｅｎｔ  Ｔｈｅｒｍｉｓｔｏｒ）は、セラミックヒーターと物理的に接触している。それゆえ、分圧回路を介して、温度センサー（ＮＴＣサーミスタ）の端子間の電圧を測ることによって、温度の状況を見ることが可能である。ＮＴＣの抵抗は温度が上昇するにつれ小さくなり、また逆に温度が下がるにつれ大きくなる。
【００２６】
一度所定の温度閾値に到達すると、電流の流れが妨げられ、セラミックヒーターはそれ以上熱くはならない。ゆえに、セラミックヒーターの温度が低下するならば、温度センサー（ＮＴＣサーミスタ）の抵抗は大きくなる。一度温度が基準電圧によって決められた所定の閾値よりも下がると、電流の流れがもう一度解放されて、セラミックヒーターを再び加熱させる。
【００２７】
固定加熱芯を備えることで、セラミックヒーターと電子制御との間の接続に、回転接触系固有の問題は生じない。故に、測定はより正確に、また容易になる。さらに、セラミックヒーターの測定と電力供給のために、４本のワイヤが（２本のワイヤはセンサー用、２本のワイヤはセラミックヒーター用に）使用される。４本のワイヤをもつ回転接触系による接続を扱うことは困難である。
【図１】
0003204854.tif 000003
【図２】
0003204854.tif 000004
【図３】
0003204854.tif 000005
【図４】
0003204854.tif 000006
【図５】
0003204854.tif 000007
【図６】
0003204854.tif 000008
【図７】
0003204854.tif 000009
【図８】
0003204854.tif 000010
【図９】
0003204854.tif 000011
【手続補正書】
【提出日】平成28年4月19日(2016.4.19)
【手続補正１】
【補正対象書類名】実用新案登録請求の範囲
【補正対象項目名】全文
【補正方法】変更
【補正の内容】
【実用新案登録請求の範囲】
【請求項１】
ハンドル、モーター（５）、および、ヘアローラー（２）を支えるのに適している加熱芯（３）、ならびに、使用時に前記加熱芯（３）を固定した状態に維持しつつ前記モーター（５）の回転運動を前記ヘアローラー（２）に伝達する伝達部（４）を有するヘアローラー巻き器（１）。
【請求項２】
前記巻き器は、使用中、ヘアローラー（２）の存在が検出されていないときには最大の加熱パワーを発動することが可能であり、ヘアローラー（２）の存在が検出されたときには加熱パワーに対し電子的時間遅延を発動することが可能な、ヘアローラー（２）の存在検出用のマイクロスイッチを有することを特徴とする請求項１に記載のヘアローラー巻き器（１）。
【請求項３】
前記巻き器は、使用中、前記ヘアローラー（２）に、前記固定加熱芯（３）周りの回転運動に加え前後運動を与える正弦波状溝部（９）付きのシリンダーを有することを特徴とする請求項１または２に記載のヘアローラー巻き器（１）。
【請求項４】
前記巻き器は、前記ハンドル上の前記ヘアローラーのためのロック・ロック解除機構（１２）を有することを特徴とする請求項１−３のいずれか一項に記載のヘアローラー巻き器（１）。
【請求項５】
前記巻き器（１）は、力トルク制限のための機構を有することを特徴とする請求項１−４のいずれか一項に記載のヘアローラー巻き器（１）。
【請求項６】
前記ヘアローラー（２）は、使用中、前記固定加熱芯（３）と前記ヘアローラー（２）との間の熱伝導によって加熱されることを特徴とする請求項１−５のいずれか一項に記載のヘアローラー巻き器（１）。
【請求項７】
前記伝達部（４）は、ギアまたはフリクションドライブを有することを特徴とする請求項１−６のいずれか一項に記載のヘアローラー巻き器（１）。
【請求項８】
請求項１−７のいずれか一項に記載のヘアローラー巻き器（１）と、一ないし複数のヘアローラー（２）とを有するアセンブリ。